(57)【要約】      （修正有）【課題】デジタル放送を円滑に出力できるようにする。【解決手段】デジタル放送受信装置は、デジタルテレビ放送の受信チャネルを切り替える前に、切り替え先のチャネルの受信状態が第１基準より劣るかを判定する第１判定部と、当該受信状態が第１基準より劣ると判定した場合に、ワンセグ放送によるコンテンツを出力するように切り替えた後に、受信チャネルを切り替え先のチャネルへ切り替える第１切替部とを有する。【選択図】図１０
2015041812.tif 000002
【特許請求の範囲】
【請求項１】
デジタルテレビ放送の受信チャネルを切り替える前に、切り替え先のチャネルの受信状態が第１基準より劣るかを判定する第１判定部と、
前記受信状態が前記第１基準より劣ると判定した場合に、ワンセグ放送によるコンテンツを出力するように切り替えた後に、前記受信チャネルを前記切り替え先のチャネルへ切り替える第１切替部と
を有するデジタル放送受信装置。
【請求項２】
更に、
前記受信チャネルが切り替えられない期間が、第２基準を越えたかを判定する第２判定部と、
前記期間が前記第２基準を越えたと判定した場合に、前記受信チャネルに対応するＬＣＤ駆動状態に切り替えた後に、複数セグメントに基づく放送によるコンテンツを出力するように切り替える第２切替部と
を有する請求項１記載のデジタル放送受信装置。
【発明の詳細な説明】
【技術分野】
【０００１】
本発明は、デジタル放送の受信技術に関する。
【背景技術】
【０００２】
地上デジタルテレビ放送における１つの物理チャネルは、１３個のセグメントに分けられる。そのうち、１個のセグメントを用いたワンセグ放送が、例えば携帯電話端末向けに運用されている。通常のテレビ受像機向けには、残りの１２個のセグメントの全部又は一部を用いる放送が運用されている。この放送を、フルセグ放送という場合がある。
【０００３】
画素密度の小さいＬＣＤ（Liquid Crystal Display）を装備した携帯電話端末であれば、データ量の少ないワンセグ放送の映像であっても遜色はない。しかし、高密度のＬＣＤを装備した携帯端末装置の場合には、ワンセグ放送では映像が不鮮明であると感じられるため、フルセグ放送への対応も求められることがある。
【０００４】
但し、フルセグ放送の受信は、ワンセグ放送の場合に比べてノイズによる影響を受けやすい。従って、同じチャネルのコンテンツをワンセグ放送で受信できても、フルセグ放送では受信できないということが起こり得る。
【０００５】
ある文献には、フルセグ放送を受信できない場合に、ワンセグ放送の受信に切り替える技術が開示されている。このようにすれば、フルセグ放送を受信できない場合でも、ユーザはワンセグ放送でコンテンツを視聴することができる。しかし、この技術によっても一旦テレビ放送の出力に失敗した状態になるので、ユーザにとっては違和感が残る。
【先行技術文献】
【特許文献】
【０００６】
【特許文献１】特開２００５−２２３５４９号公報
【発明の概要】
【発明が解決しようとする課題】
【０００７】
本発明の目的は、一側面では、デジタル放送を円滑に出力することである。
【課題を解決するための手段】
【０００８】
一態様のデジタル放送受信装置は、デジタルテレビ放送の受信チャネルを切り替える前に、切り替え先のチャネルの受信状態が第１基準より劣るかを判定する第１判定部と、当該受信状態が第１基準より劣ると判定した場合に、ワンセグ放送によるコンテンツを出力するように切り替えた後に、受信チャネルを切り替え先のチャネルへ切り替える第１切替部とを有する。
【発明の効果】
【０００９】
一側面においては、デジタル放送を円滑に出力できるようになる。
【図面の簡単な説明】
【００１０】
【図１】図１は、受信チャネル変更の様子を示す図である。
【図２】図２は、受信チャネル変更の様子を示す図である。
【図３】図３は、フルセグ放送への変更の様子を示す図である。
【図４】図４は、受信チャネル変更の様子を示す図である。
【図５】図５は、受信チャネル変更の様子示す図である。
【図６】図６は、携帯端末装置のハードウエア構成例を示す図である。
【図７】図７は、携帯端末装置の機能ブロック構成例を示す図である。
【図８】図８は、受信品質テーブルの例を示す図である。
【図９】図９は、メイン処理フローを示す図である。
【図１０】図１０は、チャネル変更処理フローを示す図である。
【図１１】図１１は、安定モード処理フローを示す図である。
【発明を実施するための形態】
【００１１】
本実施の形態は、フルセグ放送及びワンセグ放送を受信する携帯端末装置におけるチャネル変更に着目する。
【００１２】
フルセグ放送の受信はノイズによる影響を受けやすい。また、フルセグ放送の受信品質は、受信するチャネルによって異なる場合がある。あるチャネルでは受信品質が高く、別のチャネルでは受信品質が低いことがある。そのような場合には、受信中のあるチャネルから別のチャネルへ切り替えると、フルセグ放送の受信に失敗する。
【００１３】
一方、ワンセグ放送の受信はノイズによる影響を受けにくい。そのため、いずれのチャネルについても、受信に失敗するケースは比較的少ない。
【００１４】
図１に、本実施の形態と対比される例におけるチャネル変更の様子を示す。この図は、テーブルの形式でフルセグ放送の受信品質とワンセグ放送の受信品質とを示している。チャネルの例として、Ｃ１３乃至Ｃ１９の物理チャネルを示している。チャネルの各々に対しては、所定の周波数が設定されている。
【００１５】
チャネルＣ１３、チャネルＣ１４、チャネルＣ１６、チャネルＣ１７及びチャネルＣ１９におけるフルセグ放送の受信品質は、高い。チャネルＣ１５及びチャネルＣ１８におけるフルセグ放送の受信品質は、低い。受信品質が高いとは、例えばＳ／Ｎ比が所定の基準値よりも値が大きい場合を意味する。受信品質が低いとは、例えばＳ／Ｎ比が所定の基準値よりも値が小さい場合を意味する。所定の基準値は、フルセグ放送の受信が正常に行われるか否かを基準にしてもよい。
【００１６】
ワンセグ放送の受信品質は、チャネルＣ１３乃至Ｃ１９のいずれにおいても高い。ワンセグ放送についても、受信品質が高いとは、例えばＳ／Ｎ比が所定の基準値よりも値が大きい場合を意味する。受信品質が低いとは、例えばＳ／Ｎ比が所定の基準値よりも値が小さい場合を意味する。所定の基準値は、ワンセグ放送の受信が正常に行われるか否かを基準にしてもよい。
【００１７】
この例で、フルセグ放送のチャネルＣ１６における受信品質は高いので、正常に受信が行われる。フルセグ放送のチャネルＣ１６を受信している状態から、矢印１０１に示すようにチャネルＣ１５に切り替える場合を想定する。
【００１８】
フルセグ放送のチャネルＣ１５における受信品質は低いので、受信は失敗する。映像も音も出力されずに、出力不能の状態であることを示す画面が表示される。この画面は、例えば「このチャネルは表示することができません。」のようなメッセージを含んでいる。
【００１９】
そして、携帯端末装置は、矢印１０３に示すようにフルセグ放送からワンセグ放送に切り替えてチャネルＣ１５を受信する。ワンセグ放送のチャネルＣ１５における受信品質は高いので、正常に受信される。
【００２０】
つまり、フルセグ放送を受信している状態でチャネルを切り替えると、一旦出力不能の状態となってからワンセグ放送に移ることがある。
【００２１】
本実施の形態では、このように出力不能の状態となることを回避する。図２に、本実施の形態における受信チャネル変更の様子を示す。フルセグ放送の受信品質とワンセグ放送の受信品質とについては、図１と同様である。
【００２２】
図１と同様に、Ｃ１６からＣ１５にチャネルを切り替える場合を想定する。本実施の形態では、チャネルを切り替えようとする場合に、切り替え先のチャネルについてフルセグ放送による受信品質を判定する。フルセグ放送のチャネルＣ１５における受信品質が低いと判定すると、フルセグ放送からワンセグ放送に切り替えた後にチャネルＣ１５を選択する。つまり、矢印２０１に示すように直接ワンセグ放送のチャネルＣ１５へ移るようにする。このようにすれば、フルセグ放送の受信で失敗する状況にはならない。
【００２３】
受信品質を劣化させる原因となるノイズは、携帯端末装置内部のＬＣＤから発せられることもある。本実施の形態では、ＬＣＤから発せられるノイズへの対策も行う。ＬＣＤから発せられるノイズの周波数は、ＬＣＤを駆動するためのクロックに依存する。クロックは、ＬＣＤにおける動作の同期を取るためのテンポであって、動作周波数ともいう。複数のクロックに対応したＬＣＤを用い、チャネル毎に当該チャネルの周波数に干渉しにくいクロックを選択することによって、受信の失敗を避ける。
【００２４】
本実施の形態では、受信チャネルの切り替えから一定時間を経過すると、更に受信チャネルが切り替えられる可能性は低いと推定して、ワンセグ放送からフルセグ放送に切り替える。図３に、フルセグ放送への変更の様子を示す。
【００２５】
この図は、テーブルの形式で、ＬＣＤがクロックＡで駆動しているときのフルセグ放送の受信品質と、ＬＣＤがクロックＡ又はクロックＢで駆動しているときのワンセグ放送の受信品質と、ＬＣＤがクロックＢで駆動しているときのフルセグ放送の受信品質とを示している。上述のクロックＡは、ある動作周波数ａを意味し、同じくクロックＢは、動作周波数ａとは別の動作周波数ｂを意味する。チャネルの例として、前述と同様にＣ１３乃至Ｃ１９の物理チャネルを示している。
【００２６】
ワンセグ放送については、クロックＡとクロックＢとのいずれにおいても、Ｃ１３乃至Ｃ１９の各々のチャネルにおいて受信品質は高い。
【００２７】
一方、フルセグ放送については、チャネル毎にクロックＡとクロックＢとにおける受信品質が異なる。チャネルＣ１３、チャネルＣ１４及びチャネルＣ１７におけるフルセグ放送の受信品質は、クロックＡとクロックＢとのいずれでＬＣＤが駆動している場合においても高い。チャネルＣ１５及びチャネルＣ１８におけるフルセグ放送の受信品質は、クロックＡでＬＣＤが駆動している場合には低いが、クロックＢでＬＣＤを駆動している場合には高い。チャネルＣ１６及びチャネルＣ１９におけるフルセグ放送の受信品質は、クロックＡでＬＣＤが駆動している場合には高いが、クロックＢでＬＣＤを駆動している場合には低い。
【００２８】
矢印３０１は、図２の矢印２０１と同様の遷移を示している。ワンセグ放送でチャンネルＣ１５を受信するように切り替わってから一定時間を経過すると、携帯端末装置はフルセグ放送に切り替える。このとき、携帯端末装置はクロックＡとクロックＢのうち受信品質が高い方を選択する。この例では、クロックＢにおける受信品質が高いので、携帯端末装置はクロックＢを選択する。ＬＣＤをクロックＢで駆動するように切り替えた後に、携帯端末装置は矢印３０３に示すようにフルセグ放送に切り替える。そして、携帯端末装置は継続してチャネルＣ１５を受信する。
【００２９】
このように、クロックを切り替える際に、ＬＣＤは一時的に表示を中断する。そのため、画面は一旦暗転する。但し、本実施の形態では、頻繁に受信チャネルが切り替えられる状態（以下、ザッピングモードという。）においては、クロックが切り替わらないようにするので、画面が暗転する回数は少ない。
【００３０】
図４に、ザッピングモードを含む受信チャネル変更の様子を示す。この例は、クロックＡでＬＣＤを駆動している状態で、受信チャネルがチャネルＣ１９から、順にチャネルＣ１８、チャネルＣ１７、チャネルＣ１６、チャネルＣ１５へと切り替えられた様子を示している。短時間のうちに次々と受信チャネルが変更され、チャネルＣ１５で安定したものと仮定する。
【００３１】
最初に、フルセグ放送でチャネルＣ１９を受信している。この状態でチャネルＣ１８が選択されると、携帯端末装置は矢印４０１に示すようにワンセグ放送に切り替えた後に、受信チャネルをチャネルＣ１８に切り替える。チャネルＣ１８については、クロックＡでＬＣＤを駆動している場合のフルセグ放送の受信品質が低いからである。
【００３２】
次に、チャネルＣ１７が選択されると、携帯端末装置は矢印４０３に示すようにフルセグ放送に切り替えた後に、受信チャネルをチャネルＣ１７に切り替える。チャネルＣ１７については、クロックＡでＬＣＤを駆動している場合のフルセグ放送の受信品質が高いからである。
【００３３】
次に、チャネルＣ１６が選択されると、携帯端末装置は矢印４０５に示すようにフルセグ放送のまま受信チャネルをチャネルＣ１６に切り替える。チャネルＣ１６についても、クロックＡでＬＣＤを駆動している場合のフルセグ放送の受信品質が高いからである。
【００３４】
次に、チャネルＣ１５が選択されると、携帯端末装置は矢印４０７に示すようにワンセグ放送に切り替えた後に、受信チャネルをチャネルＣ１５に切り替える。チャネルＣ１５については、クロックＡでＬＣＤを駆動している場合のフルセグ放送の受信品質が低いからである。
【００３５】
この間、ＬＣＤのクロックは切り替えられていないので、画面の暗転は生じていない。
【００３６】
そして、チャネルＣ１５に切り替わってから一定時間経過すると、携帯端末装置はクロックＢでＬＣＤを駆動するように切り替えた後に、ワンセグ放送からフルセグ放送に切り替える。このとき、初めて画面の暗転が生じる。
【００３７】
図５に、本実施の形態と対比する例による受信チャネル変更の様子を示す。この例では、常にフルセグ放送による受信を行う。そのため、切り替え先のチャネルの受信品質が低い場合には、受信品質が高くなるようにクロックを切り替える。
【００３８】
この例は、クロックＡでＬＣＤを駆動している状態で、受信チャネルがチャネルＣ１９から、順にチャネルＣ１８、チャネルＣ１７、チャネルＣ１６、チャネルＣ１５へと切り替えられた様子を示している。図４の場合と同様に、短時間のうちに次々と受信チャネルが変更され、チャネルＣ１５で安定したものと仮定する。
【００３９】
最初に、フルセグ放送でチャネルＣ１９を受信している。この状態でチャネルＣ１８が選択されると、携帯端末装置は矢印５０１に示すようにＬＣＤをクロックＢで駆動するように切り替えた後に、受信チャネルをチャネルＣ１８に切り替える。チャネルＣ１８については、クロックＡでＬＣＤを駆動している場合のフルセグ放送の受信品質が低いからである。このとき、クロックの切り替えに伴い１回目の画面の暗転が生じる。
【００４０】
次に、チャネルＣ１７が選択されると、携帯端末装置は矢印５０３に示すようにそのまま受信チャネルをチャネルＣ１７に切り替える。チャネルＣ１７については、クロックＢでＬＣＤを駆動している場合のフルセグ放送の受信品質が高いからである。
【００４１】
次に、チャネルＣ１６が選択されると、携帯端末装置は矢印５０５に示すようにＬＣＤをクロックＡで駆動するように切り替えた後に、受信チャネルをチャネルＣ１６に切り替える。チャネルＣ１６については、クロックＢでＬＣＤを駆動している場合のフルセグ放送の受信品質が低いからである。このとき、クロックの切り替えに伴い２回目の画面の暗転が生じる。
【００４２】
次に、チャネルＣ１５が選択されると、携帯端末装置は矢印５０７に示すようにＬＣＤをクロックＢで駆動するように切り替えた後に、受信チャネルをチャネルＣ１５に切り替える。チャネルＣ１５については、クロックＡでＬＣＤを駆動している場合のフルセグ放送の受信品質が低いからである。このとき、クロックの切り替えに伴い３回目の画面の暗転が生じる。
【００４３】
図５の例のように、受信チャネルの切り替えに伴い頻繁にクロックを切り替えると、画面が暗転する回数が多くなり、見づらくなる。しかし、図４に示したように、本実施の形態によれば、受信チャネルが安定した場合に画面の暗転が生じることはあるが、受信チャネルの切り替えを繰り返している最中に画面が暗転することはない。従って、受信チャネルの変更に伴う画面表示が円滑になる。以上で、本実施の形態における動作概要の説明を終える。
【００４４】
続いて、携帯端末装置のハードウエア構成について説明する。図６に、携帯端末装置のハードウエア構成例を示す。携帯端末装置６００は、プロセッサ６０１、記憶部６０３、アンテナ６１１、無線制御部６１３、スピーカ制御部６１５、スピーカ６１７、マイク制御部６１９、マイク６２１、ＬＣＤ制御部６２３、ＬＣＤ６２５、タッチパッド６２７、キー群６２９、放送受信部６３１及び放送用アンテナ６３７を有している。
【００４５】
プロセッサ６０１は、モデムＣＰＵ（Central Processing Unit）とアプリケーションＣＰＵからなることもある。記憶部６０３は、例えば、ＲＯＭ（Read Only Memory）６０５とＲＡＭ（Random Access Memory）６０７とフラッシュメモリ６０９とを有している。ＲＯＭ６０５は、例えば、オペレーティングシステムなどのプログラムや予め設定されているデータを格納している。ＲＡＭ６０７は、例えば、アプリケーションなどのプログラムを展開する領域を含んでいる。ＲＡＭ６０７は、一時的なデータを格納する領域も含んでいる。フラッシュメモリ６０９は、例えば、アプリケーションなどのプログラムや保持すべきデータを格納している。
【００４６】
ＬＣＤ制御部６２３は、指定された動作周波数でクロック回路を動作させ、ＬＣＤ６２５を駆動させる。ＬＣＤ６２５は、例えば、デジタルテレビ放送の映像を含む画面を表示する。タッチパッド６２７は、例えば、ＬＣＤ６２５の表示画面上に配置されたパネル状のセンサであり、タッチ操作による指示を受け付ける。具体的には、ＬＣＤ６２５とタッチパッド６２７とを一体としたタッチパネルとして用いられる。タッチパッド６２７へのタッチ操作によって、チャネル変更指示などのイベントが発生する。キー群６２９の各ハードキーは、筐体の一部に設けられている。  
【００４７】
アンテナ６１１は、例えば、セルラー方式、無線ＬＡＮ、近距離通信方式などの無線データを受信する。無線制御部６１３は、無線通信の制御を行う。無線通信の制御により、例えば電話の音声通信やメールのデータ通信が行われる。
【００４８】
スピーカ制御部６１５は、音データに関するデジタル／アナログ変換を行う。スピーカ６１７は、アナログデータを音として出力する。スピーカ６１７は、例えばデジタルテレビ放送の音を出力する。マイク制御部６１９は、音データに関するアナログ／デジタル変換を行う。マイク６２１は、音をアナログデータに変換する。
【００４９】
放送受信部６３１は、放送用アンテナ６３７を介してデジタル放送波を受信し、受信したデジタル放送のチャネルで伝送されているコンテンツを抽出する。放送受信部６３１は、チャネルを選択するためのチューナ、復調を行うための復調部及びデコードを行うデコーダなどを有している。また、放送受信部６３１は、ワンセグ放送を受信するためのワンセグ放送受信部６３３とフルセグ放送を受信するためのフルセグ放送受信部６３５とを含んでいる。ワンセグ放送受信部６３３は、ワンセグ放送のために割り当てられた１つのセグメントに含まれるデータから低画質の映像によるコンテンツを抽出する。フルセグ放送受信部６３５は、フルセグ放送のために割り当てられた複数のセグメントに含まれるデータから高画質の映像によるコンテンツを抽出する。ワンセグ放送から抽出されたコンテンツのデータ量は、フルセグ放送から抽出されたコンテンツのデータ量に比べて小さい。ワンセグ放送受信部６３３における処理はフルセグ放送受信部６３５における処理に比べて、ノイズに対する耐性が高い。
【００５０】
携帯端末装置６００の機能ブロック構成について説明する。図７に、携帯端末装置６００の機能ブロック構成例を示す。携帯端末装置６００は、テーブル格納部７０１、受付部７０３、制御部７０５、タイマ７０７、出力部７０９、内部記憶領域７１１、第１判定部７１３、第１切替部７１５、第２判定部７１７、モード記憶部７１９及び第２切替部７２１を有している。
【００５１】
テーブル格納部７０１は、受信品質テーブルを格納している。図８に、受信品質テーブルの例を示す。この例は、ＬＣＤがクロックＡで駆動しているときのフルセグ放送の受信品質と、ＬＣＤがクロックＢで駆動しているときのフルセグ放送の受信品質とを示している。チャネルの例として、図１乃至図５と同様にＣ１３乃至Ｃ１９の物理チャネルを示している。チャネルＣ１３、チャネルＣ１４及びチャネルＣ１７におけるフルセグ放送の受信品質は、クロックＡとクロックＢとのいずれでＬＣＤが駆動している場合も高い。チャネルＣ１５とチャネルＣ１８とにおけるフルセグ放送の受信品質は、クロックＡでＬＣＤが駆動している場合には低いが、クロックＢでＬＣＤが駆動している場合には高い。チャネルＣ１６とチャネルＣ１９とにおけるフルセグ放送の受信品質は、クロックＡでＬＣＤが駆動している場合には高いが、クロックＢでＬＣＤが駆動している場合には低い。以上で、受信品質テーブルについての説明を終える。
【００５２】
図７の説明に戻って、受付部７０３は、チャネル変更指示を受け付ける。受付部７０３は、継続的にチャネル変更指示のイベントを待つ。制御部７０５は、処理の流れを制御する。タイマ７０７は、前回のチャネル切り替えからの経過時間を計測するために用いられる。出力部７０９は、ワンセグ放送受信部６３３あるいはフルセグ放送受信部６３５から取得したコンテンツを出力する。具体的には、出力部７０９は、コンテンツの映像を含むテレビ表示画面を生成し、ＬＣＤ制御部６２３を介してＬＣＤ６２５に表示させる。また、出力部７０９は、スピーカ制御部６１５を介してコンテンツの音をスピーカ６１７から出力させる。内部記憶領域７１１は、出力部７０９の動作に用いるデータ（例えば、チャネルや放送種別）を一時的に記憶する。
【００５３】
第１判定部７１３は、切り替え先のチャネルの受信品質を判定する。第１切替部７１５は、第１判定部７１３の判定結果に基づいて、受信する放送種別を切り替え、更に受信チャネルを切り替える。
【００５４】
第２判定部７１７は、ザッピングモードと安定モードとの別を判定する。ザッピングモードは、頻繁にチャネル変更が指示される状態を意味する。例えば、コマーシャルが放送されている間に、ユーザが他のチャネルを次々に視聴する状態に相当する。安定モードは、チャネル変更が指示されない状態を意味する。例えば、ユーザが番組コンテンツを集中して視聴している状態に相当する。モード記憶部７１９は、現在のモードを記憶する。具体的には、ザッピングモードと安定モードとのいずれかを記憶している。初期のモードは、ザッピングモードとする。第２切替部７２１は、安定モードになるとチャネルに適したクロックに切り替えて、更にフルセグ放送に切り替える。クロック記憶部７２３は、現在のクロックを記憶する。
【００５５】
テーブル格納部７０１、受付部７０３、制御部７０５、タイマ７０７、出力部７０９、内部記憶領域７１１、第１判定部７１３、第１切替部７１５、第２判定部７１７、モード記憶部７１９、第２切替部７２１及びクロック記憶部７２３は、例えば図６に示したハードウエア資源によって実現される。また、受付部７０３、制御部７０５、タイマ７０７、出力部７０９、第１判定部７１３、第１切替部７１５、第２判定部７１７及び第２切替部７２１は、当該機能ブロックの処理の一部又は全部を、記憶部６０３にロードされたプログラムをプロセッサ６０１で順次実行することにより実現するようにしてもよい。
【００５６】
図９に、メイン処理フローを示す。第２判定部７１７は、モード記憶部７１９から現在のモードを読み取り、現在のモードがザッピングモードであるかあるいは安定モードであるかを判定する（Ｓ９０１）。初期のモードはザッピングモードであるので、Ｓ９０３の処理に移る。
【００５７】
第２判定部７１７は、前回のチャネル変更から一定期間（例えば、６０秒）が経過したか否かを判定する（Ｓ９０３）。未だチャネル変更が一度も行われていない場合、あるいは前回のチャネル変更から一定期間が経過していない場合には、Ｓ９０５の処理に移る。時間の経過は、タイマ７０７を用いて計測される。
【００５８】
制御部７０５は、受付部７０３でチャネル変更指示を受け付けたか否かを判定する（Ｓ９０５）。チャネル変更指示を受け付けていないと判定した場合には、Ｓ９０１に戻る。一方、チャネル変更指示を受け付けたと判定した場合には、携帯端末装置６００はチャネル変更処理を実行する（Ｓ９０７）。
【００５９】
図１０に、チャネル変更処理フローを示す。具体的には、第１判定部７１３と第１切替部７１５とが、チャネル変更処理を行う。第１判定部７１３は、現在の放送種別がフルセグ放送であるかあるいはワンセグ放送であるかを判定する（Ｓ１００１）。このとき、第１判定部７１３は、出力部７０９の内部記憶領域７１１から現在の放送種別を読み取る。
【００６０】
現在の放送種別がフルセグ放送であると判定した場合には、第１判定部７１３は、フルセグ放送における変更先チャネルの受信品質が高いかあるいは低いかを判定する（Ｓ１００３）。このとき、第１判定部７１３はクロック記憶部７２３からクロックを読む。また、第１判定部７１３はテーブル格納部７０１に格納されている受信品質テーブルから、変更先チャネルとクロックとに対応する受信品質を読む。
【００６１】
フルセグ放送における変更先チャネルの受信品質が低いと判定した場合には、第１切替部７１５は、ワンセグ放送に切り替える（Ｓ１００５）。これにより、出力部７０９は、ワンセグ放送受信部６３３からコンテンツを取得し、出力するようになる。そして、第１切替部７１５は、受信するチャネルを切り替える（Ｓ１００７）。これにより、ワンセグ放送受信部６３３は切り替えられたチャネルのデジタル放送を受信するようになる。例えば、図２に示した矢印２０１の遷移、図３に示した矢印３０１の遷移、図４に示した矢印４０１の遷移及び矢印４０７の遷移が、この処理により実現される。
【００６２】
Ｓ１００３でフルセグ放送における変更先チャネルの受信品質が高いと判定した場合には、フルセグ放送受信部６３５によるフルセグ放送の受信を続ける。そして、第１切替部７１５は、受信するチャネルを切り替える（Ｓ１００７）。これにより、フルセグ放送受信部６３５は切り替えられたチャネルのデジタル放送を受信するようになる。例えば、図４に示した矢印４０５の遷移が、この処理により実現される。
【００６３】
一方、Ｓ１００１で現在の放送種別がワンセグ放送であると判定した場合には、第１判定部７１３は、フルセグ放送における変更先チャネルの受信品質が高いかあるいは低いかを判定する（Ｓ１００９）。このとき、第１判定部７１３はクロック記憶部７２３からクロックを読む。また、第１判定部７１３はテーブル格納部７０１に格納されている受信品質テーブルから、変更先チャネルとクロックとに対応する受信品質を読む。
【００６４】
フルセグ放送における変更先チャネルの受信品質が高いと判定した場合には、第１切替部７１５は、フルセグ放送に切り替える（Ｓ１０１１）。これにより、出力部７０９は、フルセグ放送受信部６３５からコンテンツを取得し、出力するようになる。そして、第１切替部７１５は、受信するチャネルを切り替える（Ｓ１００７）。これにより、フルセグ放送受信部６３５は切り替えられたチャネルのデジタル放送を受信するようになる。例えば、図４に示した矢印４０３の遷移が、この処理により実現される。
【００６５】
Ｓ１００９でフルセグ放送における変更先チャネルの受信品質が低いと判定した場合には、ワンセグ放送受信部６３３によるワンセグ放送の受信を続ける。そして、第１切替部７１５は、受信するチャネルを切り替える（Ｓ１００７）。これにより、ワンセグ放送受信部６３３は切り替えられたチャネルのデジタル放送を受信するようになる。例えば、クロックＡでＬＣＤを駆動している状態では、図８に示すようにチャネルＣ１５とチャネルＣ１８とは共に受信品質が低い。従って、チャネルＣ１５からチャネルＣ１８に切り替えると、この処理によってワンセグ放送の受信が継続されるようになる。
【００６６】
Ｓ１００７で受信するチャネルを切り替えると、チャネル変更処理を終了し、図９に示したＳ９０９の処理に戻る。
【００６７】
図９に示した処理の説明に戻って、制御部７０５は、終了が指示されたか否かを判定する（Ｓ９０９）。終了が指示されたと判定した場合には、制御部７０５は全体の処理を終える。終了が指示されていないと判定した場合には、Ｓ９０１の処理に戻る。
【００６８】
ユーザがチャネル変更を指示する操作を行った場合には、上述のＳ９０１乃至Ｓ９０９の処理で対応する。
【００６９】
そして、チャネル変更を指示する操作が落ち着いた段階で安定モードに移る。そのため、Ｓ９０３で前回のチャネル変更から一定期間が経過したと判定した場合には、第２判定部７１７は、現在のモードをザッピングモードから安定モードに変更する（Ｓ９１１）。つまり、第２判定部７１７は、モード記憶部７１９に安定モードを記憶させる。そして、携帯端末装置６００は、安定モード処理を実行する（Ｓ９１３）。
【００７０】
図１１に、安定モード処理フローを示す。具体的には、第２判定部７１７と第２切替部７２１とが、安定モード処理を行う。第２判定部７１７は、現在の放送種別がフルセグ放送であるかあるいはワンセグ放送であるかを判定する（Ｓ１１０１）。このとき、第２判定部７１７は、出力部７０９の内部記憶領域７１１から現在の放送種別を読み取る。
【００７１】
現在の放送種別がフルセグ放送であると判定した場合には、直ちに安定モード処理を終える。
【００７２】
現在の放送種別がワンセグ放送であると判定した場合には、第２切替部７２１は、当該チャネルに適応するクロックを特定する（Ｓ１１０３）。具体的には、第２切替部７２１は、テーブル格納部７０１に格納されている受信品質テーブルにおいて受信品質が高い方のクロックを特定する。例えば、現在受信しているチャネルがＣ１５であれば、図８に示した受信品質テーブルに従って、受信品質が高いクロックＢの方を特定する。尚、いずれのクロックにおいても受信品質が高い場合には、現在のクロックが優先される。
【００７３】
第２切替部７２１は、特定されたクロックが現在のクロックと一致するか否かを判定する（Ｓ１１０５）。特定されたクロックが現在のクロックと一致しないと判定した場合には、第２切替部７２１は、特定されたクロックでＬＣＤを駆動するように切り替える（Ｓ１１０７）。具体的には、第２切替部７２１は、ＬＣＤ制御部６２３にクロックの切り替えを指示する。そして、第２切替部７２１は、フルセグ放送に切り替える（Ｓ１１０９）。これにより、出力部７０９は、フルセグ放送受信部６３５からコンテンツを取得し、出力するようになる。
【００７４】
Ｓ１１０５で特定したクロックが現在のクロックと一致すると判定した場合には、Ｓ１１０７におけるクロックの切り替えは行わずに、Ｓ１１０９におけるフルセグ放送への切り替えを行う。
【００７５】
以上説明した安定モード処理を終えると、図９に示したＳ９０５に戻る。
【００７６】
図９に示した処理の説明に戻って、前述のように安定モードに移ると、Ｓ９０１で現在のモードは安定モードであると判定され、Ｓ９１５の処理に移る。Ｓ９１５では、第２判定部７１７が、前回のチャネル変更から一定期間（例えば、６０秒）が経過したか否かを判定する（Ｓ９１５）。前回のチャネル変更から一定期間が経過していると判定した場合には、安定モードが継続するので、そのままＳ９０５の処理に移る。
【００７７】
一方、前回のチャネル変更から一定期間が経過していないと判定した場合、つまりチャネル変更の指示がなされた場合には、第２判定部７１７は、安定モードからザッピングモードに変更する（Ｓ９１７）。第２判定部７１７は、モード記憶部７１９をザッピングモードに書き換える。以上で、本実施の形態における処理についての説明を終える。
【００７８】
本実施の形態によれば、フルセグ放送によって切り替え先のチャネルのコンテンツを出力できない状態を避けることができる。これにより、例えば出力不能を示す画面を表示させずに済む。
【００７９】
また、本実施の形態によれば、ＬＣＤによるノイズなどの影響を減らして、フルセグ放送によるコンテンツを出力できるようになる。また、受信チャネルが切り替えられる可能性が低くなってからＬＣＤ駆動状態を切り替えるので、受信チャネルが切り替えられる度にＬＣＤ駆動状態を切り替える方式に比べて、ＬＣＤ駆動状態の切り替えに伴う表示の乱れを少なくすることができる。
【００８０】
以上本発明の一実施の形態を説明したが、本発明はこれに限定されるものではない。例えば、上述の機能ブロック構成は実際のプログラムモジュール構成に一致しない場合もある。
【００８１】
また、上で説明した各記憶領域の構成は一例であって、上記のような構成でなければならないわけではない。さらに、処理フローにおいても、処理結果が変わらなければ処理の順番を入れ替えることも可能である。さらに、並列に実行させるようにしても良い。
【００８２】
以上述べた実施の形態をまとめると、以下のようになる。
【００８３】
一態様のデジタル放送受信装置は、デジタルテレビ放送の受信チャネルを切り替える前に、切り替え先のチャネルの受信状態が第１基準より劣るかを判定する第１判定部と、当該受信状態が第１基準より劣ると判定した場合に、ワンセグ放送によるコンテンツを出力するように切り替えた後に、受信チャネルを切り替え先のチャネルへ切り替える第１切替部とを有する。
【００８４】
このようにすれば、複数セグメントに基づく放送（例えば、フルセグ放送）によって切り替え先のチャネルのコンテンツを出力できない状態を避けることができる。これにより、例えば出力不能を示す画面を表示させずに済む。
【００８５】
更に、デジタル放送受信装置は、受信チャネルが切り替えられない期間が、第２基準を越えたかを判定する第２判定部を有するようにしてもよい。また、デジタル放送受信装置は、上記期間が第２基準を越えたと判定した場合に、受信チャネルに対応するＬＣＤ駆動状態に切り替えた後に、複数セグメントに基づく放送によるコンテンツを出力するように切り替える第２切替部とを有するようにしてもよい。
【００８６】
このようにすれば、ＬＣＤによるノイズなどの影響を減らして、複数セグメントに基づく放送（例えば、フルセグ放送）によるコンテンツを出力できるようになる。また、受信チャネルが切り替えられる可能性が低くなってからＬＣＤ駆動状態を切り替えるので、受信チャネルが切り替えられる度にＬＣＤ駆動状態を切り替える方式に比べて、ＬＣＤ駆動状態の切り替えに伴う表示の乱れを少なくすることができる。
【００８７】
なお、上で述べたデジタル放送受信装置が実行する処理をプロセッサに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【００８８】
以上の実施例を含む実施形態に関し、さらに以下の付記を開示する。
【００８９】
（付記１）
デジタルテレビ放送の受信チャネルを切り替える前に、切り替え先のチャネルの受信状態が第１基準より劣るかを判定する第１判定部と、
前記受信状態が前記第１基準より劣ると判定した場合に、ワンセグ放送によるコンテンツを出力するように切り替えた後に、前記受信チャネルを前記切り替え先のチャネルへ切り替える第１切替部と
を有するデジタル放送受信装置。
【００９０】
（付記２）
更に、
前記受信チャネルが切り替えられない期間が、第２基準を越えたかを判定する第２判定部と、
前記期間が前記第２基準を越えたと判定した場合に、前記受信チャネルに対応するＬＣＤ駆動状態に切り替えた後に、複数セグメントに基づく放送によるコンテンツを出力するように切り替える第２切替部と
を有する付記１記載のデジタル放送受信装置。
【符号の説明】
【００９１】
６００  携帯端末装置    ６０１  プロセッサ
６０３  記憶部    ６０５  ＲＯＭ
６０７  ＲＡＭ    ６０９  フラッシュメモリ
６１１  アンテナ    ６１３  無線制御部
６１５  スピーカ制御部    ６１７  スピーカ
６１９  マイク制御部    ６２１  マイク
６２３  ＬＣＤ制御部    ６２５  ＬＣＤ
６２７  タッチパッド    ６２９  キー群
６３１  放送受信部    ６３３  ワンセグ放送受信部
６３５  フルセグ放送受信部    ６３７  放送用アンテナ
７０１  テーブル格納部    ７０３  受付部
７０５  制御部    ７０７  タイマ
７０９  出力部    ７１１  内部記憶領域
７１３  第１判定部    ７１５  第１切替部
７１７  第２判定部    ７１９  モード記憶部
７２１  第２切替部    ７２３  クロック記憶部
【図１】
2015041812.tif 000003
【図２】
2015041812.tif 000004
【図３】
2015041812.tif 000005
【図４】
2015041812.tif 000006
【図５】
2015041812.tif 000007
【図６】
2015041812.tif 000008
【図７】
2015041812.tif 000009
【図８】
2015041812.tif 000010
【図９】
2015041812.tif 000011
【図１０】
2015041812.tif 000012
【図１１】
2015041812.tif 000013